(57)【要約】【課題】従来の指圧器具は、別々の器具が必要などの欠点を使いやすいように、本発明はこれ一つで全身（頭〜足）まで自分で出来る。自分で治せる、それにより超大きな無駄な治療院などに通う時間、交通費、治療時間、治療費も超削減ができ、生活にゆとりが生まれ、お金が貯まる指圧と運動の併用器具を提供する。又、本発明器具は高齢者施設、スポーツの前後の心と体の手入れに利用が出来る。【解決手段】現代医学、東洋医学を基に、体の大小、身長の長短に関係なくできる運動効果を高めるために不安定な指圧運動円柱丸棒器具を作り、指圧効果、運動効果を特徴とする。【選択図】図１
2018075332.tif 000002
【特許請求の範囲】
【請求項１】
円柱状の土台と突起からなる指圧運動器具であり、両端に開口３が設けられた円柱状の丸棒の土台４、帯状の指圧突起、縦方向、横方向に長い突起と角型の突起部分１、の組み合せ２、よりなる特徴とする。
【発明の詳細な説明】
【技術分野】
【０００１】  この発明は世界旅、人体解剖学、生理学、運動学、東洋医学の経穴学、指圧療法より学び創作した。これ一つで  頭顔から骨盤底足まで全身が出来る指圧運動器具に関するものである。
【背景技術】
【０００２】  ［従来、指圧と運動が同時に出来る。しかも全身指圧運動器具はみわたらない。
【先行技術文献】
【特許文献】
【発明の概要】
【発明が解決しようとする課題】
【０００３】  従来、全身の各部位別の指圧器具はあるが、別々の器具が幾つも必要などの欠点がある。
その分非常に高くなる。
本発明は以上のような欠点をなくすためになされたものである。
【課題を解決するための手段】
【０００４】  ビートたけしさんのスーパー・ジョッキーの番組、下北沢の赤ひげ整体に挑戦の原点、計５年間世界旅学遊教より創作された治療法の中から爆笑変な発明、元気が出る治療法の数々が生まれた。見るだけで元気になる、体に一切触れる事無く治す。股間部木馬健康器具等々発明、丸径１０センチにもなる爪楊枝の束を背骨の左右肩から腰に並べてから押し圧。お腹全体に爪楊枝数個束にしてから押し圧整体、痛過ぎるが気持ちが良い。普通の人々に使えるように研究をするチャンスだ。虚弱体質の人、高齢者、若者まで満足する安全な刺激方法はどうすればいいのか試作研究。現代医学、生理学、運動学、東洋医学、針きゅう指圧療法、世界旅を基に、形状・組み合せよりなる。指圧法と運動法がこれ一つで体の大小、身長の長短に関係なく頭顔から背中胸部お腹上肢骨盤底下肢まで全身が出来る指圧運動器具。
本発明は以上の構成よりなる
【発明の効果】
【０００５】  全身まで出来る指圧運動器具は
現代医学、運動学、東洋医学に基づきその結果、指圧のみ、運動のみではなく、指圧と運動の併用器具にする事により以下のような  新しい「発明効果」が２つ生まれました。
【発明の効果１】
【０００６】「効果が認められる症状及び病気」健康維持・増進・疾病予防、心と体の健康、頭、顔、ひどい首肩背中腰，尻などのこりと痛みと疲れ。不良姿勢、猫背、背骨骨盤の歪み、慢性の腰痛、慢性の疲労、神経痛、心肺機能、長時間同じ姿勢で仕事、精神的疲労，下肢の疲れ、むくみ、冷え性、自律神経失調症、内臓、胃腸、便秘、下痢、更年期障害、スポ−ツ前後の体の手入れなどに有効。
【０００７】高血圧，糖尿病（食事・運動・薬）、運動不足、生活の乱れ、生活習慣病、休み休み歩行，下肢の血流改善、美脚、細くなる足、疲れむくみ、膝関節痛、不眠などに有効．
【０００８】「骨盤及び骨盤底刺激効果」イライラする、婦人病、軽い尿もれ、さわやか骨盤底、頭すっきり、骨盤内及び骨盤底の血の巡りが良くなる、ホルモンバランスの改善，ぢ，前立せん肥大「尿の改善」理想馬のしょんべん、性機能の向上（個人差有）、肛門の健康などに有効。
【０００９】高齢者激増時代、死ぬまで元気、いきいきと生きる。年よりくさくない年寄り。
悪い姿勢の改善と予防。脊柱管きょうさく症、休み休み歩行の改善。発明人自身腰痛下肢の痛みと痺れ＜低い椅子に座ると腰が痛い腰が伸びなく、ガニ股歩き＞、前の出願・本発明器具で治る。
本発明はこり，疲れなどの専用指圧器具ではない。これからの高齢者激増時代、自分自身で色々な辛い所を楽にするよくする。しなやかな筋肉と関節、転倒予防・転倒しにくくなる体、骨折しにくくなる体。生きる希望がわく、まったく新しい考えの元で生まれた。心のヒダの一つ一つ、細胞の一つ一つに効く指圧運動円柱器具である。
【００１０】「発明の効果２」
生活にゆとりが生まれます。  お金が貯まります。
その理由、
治療院，整体、整骨院などに通う時間、交通費、治療費、治療時間などが不要になります。発明人自身の健康器具により長年一切不要を経験ずみです。これ一つあれば自分自身でやりますとドンドン色々な辛い症状が改善良くなります。自信が付いてきます。もったいない時間光熱費の削減効果あり秋冬春でも長風呂不要シャワーでＯＫ。
【００１１】医療の原点は  手  を  あ  て  る  手当てです。
そこには愛があり、乱暴な使い方強い強い刺激などをしなければ安心安全です．
定期的・時々病医院で診察を受けることも大切です。
【発明を実旋するための形態】
【００１２】以下、本発明を実旋形態について図１、２、３に基づき説明をする。
安定性のある長方形の土台ではなく、あえて運動効果を高めるために不安定性のある円柱状の丸棒（狭い室内使用目的により変わる長さ５０センチから１メートル）の土台にした。指圧突起は丸い棒状という概念は取りさってみた。虚弱体質の人、高齢者も安全な刺激を考えた。帯状が良質な刺激突起になる。帯状の突起は体に触れる上面は縦方向・横方向の長い突起を設け、全ての人に安全でいて満足度の高い刺激は何が最適化か試作研究により、さらに低い凸角型突起も設けた。
幅も３０ミリ〜１０センチ、長さは円柱を１周、帯状突起と凸角突起の組み合せ。両端に開口部（丸径１２センチから１８センチ）を設けた理由は片手でしっかりと開口部を手で掴むことが出来るため、安定した弱・中・強の刺激を体の部分に調節しながら与える事ができるように自由度を持たせた。（又は製品化しやすいのであれば開口部は止めそこに手持ち部を付けてもよい）
開口部の角で側頭部・後頭部・後頸部・頸部・胸・腹を押し圧できるようにした。
従来の欠点は幾つもの指圧器具が必要であった。本発明指圧運動器具により虚弱体質の人、高齢者、若者からスポーツ選手まで安全安心に施術運動を行うため、望ましいのは帯状の突起と凸角形突起との組み合わせることにより、より安全で効果が得られ、
体の大小、身長の長短に関係なく効果的な刺激になり、従来の欠点が解消される。
実旋方法は、これ一つで指圧運動器具の上に体のやりたい部分を押し圧する。体を自分で小さく〜大きく動かすようにすれば全身ができる。凸丸形突起から凸角型突起にした理由は、制作がしやすく強くて安く販売が出来る為に考えた。
材質は、木、竹、プラスチィク、紙、ゴム、布など。
本発明は以上のような構造、方法である。
【その他の応用例】
【００１３】指圧器具を片手又は両手でもち、顔、腰、尻、モモ、ふくらはぎ、足全体をこする叩く刺激をしてください。血行促進、こする部分の老廃物神経の働きの改善。下肢の疲れ、美顔美脚、足の疲れ、むくみなどに有効。指圧器具で顔面ほっぺた、口の周りを左右こする。
【００１４】病医院の治療にプラス本発明指圧運動器具の併用がよりよい医療になります。ＷＨＯの勧告では、「現代医療のなかに伝統的療法を取り入れなさい」と勧告されている。
【００１５】本発明の指圧運動円柱器具を、自宅、高齢者施設、全スポーツの前後の手入れリハビリ効果、ディサービス施設など多くの場所で人々の健康に寄与できる。死ぬまで元気ポックリ大往生効果
【図面の簡単な説明】
【００１７】
【図１】左側面図（右側面図同じ）
【図２】正面図（開口部を片手で掴む・背面図も同じ）
【図３】平面図（底面図同じ）
【符号の説明】
【００２６】１  指圧の突起部分（帯状の上面・縦方向・横方向、凸角形）
２  指圧突起の組み合せ
３  開口部（両端に設け、片手ずつでしつかりと両端を掴む為）
４  指圧の土台は円柱状の丸棒（運動効果を高めるために不安定な丸棒にした）
【図１】
2018075332.tif 000003
【図２】
2018075332.tif 000004
【図３】
2018075332.tif 000005
【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
円柱状の土台と突起からなる指圧運動器具であって、
両端に開口３が設けられた円柱状の丸棒の土台４と帯状の指圧突起、縦方向、横方向に長い突起、角型の突起部分１の組み合せ２と、よりなり、
前記丸棒の土台４は、運動効果を高めるために不安定な丸棒をし、前記角型の突起部分１が設けられた角型の突起領域、前記横方向に長い突起が設けられた横長突起領域、および前記縦方向に長い突起が設けられた縦長突起領域、を有し、
前記角型の突起領域は、前記丸棒の土台４の中央に配置され、前記角型の突起部分が左側５個列、右側５個列、計１０個の角型の突起列群が並び、前記丸棒の全周にわたって連続し、
前記横長突起領域は、前記角型突起に隣接し、前記横方向に長い複数個、長手方向を前記丸棒の土台４の軸方向を向けた状態で、前記丸棒の全周にわたって連続し、
前記縦長突起領域は、前記横長突起領域の、前記角型突起領域と反対側に配置され、前記縦方向に長い突起が複数個、前記丸棒の外周を囲む無端状に、かつ、互いに前記前記丸棒の軸方向に隣接するように設けられ、開口部の片側端２個列角型突起を設けた理由は、側頭部・後頭部・後頸部・頸部・胸部・腹部施術の為に前記丸棒全周にわたり設けられている構造を特徴とする指圧運動器具
【手続補正書】
【提出日】平成29年5月20日(2017.5.20)
【手続補正１】
【補正対象書類名】特許請求の範囲
【補正対象項目名】全文
【補正方法】変更
【補正の内容】
【特許請求の範囲】
【請求項１】
円柱状の土台と突起からなる指圧運動器具であって、
両端に開口３が設けられた円柱状の丸棒の土台４と帯状の指圧突起、縦方向、横方向に長い突起、角型の突起部分１の組み合せ２と、よりなり、
前記丸棒の土台４は、運動効果を高めるために不安定な丸棒をし、前記角型の突起部分１が設けられた角型の突起領域、前記横方向に長い突起が設けられた横長突起領域、および前記縦方向に長い突起が設けられた縦長突起領域、を有し、
前記角型の突起領域は、前記丸棒の土台４の中央に配置され、前記角型の突起部分が左側５個列、右側５個列、計１０個の角型の突起列群が並び、前記丸棒の全周にわたって連続し、
前記横長突起領域は、前記角型突起に隣接し、前記横方向に長い複数個、長手方向を前記丸棒の土台４の軸方向を向けた状態で、前記丸棒の全周にわたって連続し、
前記縦長突起領域は、前記横長突起領域の、前記角型突起領域と反対側に配置され、前記縦方向に長い突起が複数個、前記丸棒の外周を囲む無端状に、かつ、互いに前記丸棒の軸方向に隣接するように設けられ、開口部の片側端２個列角型突起を設けた理由は、側頭部・後頭部・後頸部・頸部・胸部・腹部施術の為に前記丸棒全周にわたり設けられている構造を特徴とする指圧運動器具